(57)【要約】【課題】携帯電話利用者による広告情報の抽出条件の設定が可能でかつ携帯電話からのフィードバック情報の送信が可能な携帯端末の利用料金軽減方法の提供。【解決手段】携帯電話１のサイト閲覧機能１２から広告情報管理センター２に必要な情報を送信することにより、携帯電話１に常駐型アプリケーション３が送信される。ＣＰＵ４は常駐型アプリケーション３にしたがって広告情報の抽出条件の設定を行い、かつ広告情報が表示されているときにサイト閲覧機能１２を起動する。これにより、携帯電話利用者は不要な広告情報を取得することがなくなり、かつインターネットショッピングなどの既存のサービス提供との連携が可能となる。【選択図】　　　図１
2004080552.tif 000002
【特許請求の範囲】
【請求項１】
携帯端末と広告情報管理センターとがネットワークを介して接続されており、前記携帯端末が前記広告情報管理センターから所定の広告情報の配信を受けることにより、前記携帯端末の利用料金軽減を図る携帯端末の利用料金軽減方法であって、
前記携帯端末からの要求に応じて前記広告情報管理センターから前記携帯端末へ携帯端末の利用料金軽減のためのプログラムを送信するプログラム送信ステップと、
前記携帯端末にて前記プログラムにしたがって広告情報の抽出条件の設定を含む携帯端末の利用料金軽減処理を実行する利用料金軽減ステップとを含むことを特徴とする携帯端末の利用料金軽減方法。
【請求項２】
前記利用料金軽減ステップには前記携帯端末に配信された広告情報の発信元に対し所定の返信を行う処理が含まれることを特徴とする請求項１記載の携帯端末の利用料金軽減方法。
【請求項３】
前記プログラム送信ステップは、前記携帯端末から前記広告情報管理センターに対し利用者情報を含む情報を送信するステップと、前記情報を受信した前記広告情報管理センターから前記携帯端末に対し携帯端末の利用料金軽減のためのプログラムを送信するステップとを含むことを特徴とする請求項１または２記載の携帯端末の利用料金軽減方法。
【請求項４】
前記利用料金軽減ステップは、前記携帯端末にて前記広告情報の抽出条件の設定を行うステップと、設定した抽出条件にしたがって新しい前記広告情報がないかどうかを前記携帯端末から前記広告情報管理センターに問い合わせるステップと、前記広告情報管理センターにて前記抽出条件に合致する広告情報を取得し前記携帯端末へ配信するステップと、前記携帯端末にて取得した広告情報を広告情報データベースに保存するステップと、前記携帯端末にて取得した広告情報の提示回数を保持するレコードを提示回数データベースに追加するステップとを含むことを特徴とする請求項１から３いずれか記載の携帯端末の利用料金軽減方法。
【請求項５】
前記利用料金軽減ステップは、前記携帯端末にて定期的に広告情報データベース内の広告情報を読み出し画面表示するステップと、広告情報の提示回数を保持している提示回数データベースの対応するレコードの提示回数を更新するステップと、広告表示されているときに前記携帯端末にて詳細な広告情報を確認する操作や購入の操作を行うステップと、前記操作によりサイト閲覧機能が起動され前記広告表示されている広告情報のＵＲＬを前記サイト閲覧機能に通知するステップと、前記サイト閲覧機能からそのＵＲＬにアクセスするステップとを含むことを特徴とする請求項２から４いずれか記載の携帯端末の利用料金軽減方法。
【請求項６】
前記利用料金軽減ステップは、前記携帯端末にて定期的に広告情報の提示回数を保持している提示回数データベースの情報を読み出すステップと、読み出した提示回数情報を前記広告情報管理センターに送信するステップと、前記提示回数情報を受信した前記広告情報管理センターがその情報を前記広告情報管理センター内の利用者別提示回数管理データベースに保存するステップとを含むことを特徴とする請求項１から５いずれか記載の携帯端末の利用料金軽減方法。
【請求項７】
前記利用料金軽減ステップは、前記広告情報管理センターが広告主から広告情報と広告掲載料とを受け取り、広告情報データベースに広告情報を登録するステップと、前記広告情報管理センターが定期的に利用者別提示回数管理データベースの情報を集計し、携帯電話利用者の提示回数に応じて、広告主から受け取った広告掲載料の配分を受けるステップとを含むことを特徴とする請求項１から６いずれか記載の携帯端末の利用料金軽減方法。
【請求項８】
携帯端末と広告情報管理センターとがネットワークを介して接続されており、前記携帯端末が前記広告情報管理センターから所定の広告情報の配信を受けることにより、前記携帯端末の利用料金軽減を図る携帯端末の利用料金軽減システムであって、
前記携帯端末からの要求に応じて前記広告情報管理センターから前記携帯端末へ携帯端末の利用料金軽減のためのプログラムを送信するプログラム送信手段と、
前記携帯端末にて前記プログラムにしたがって広告情報の抽出条件の設定を含む携帯端末の利用料金軽減処理を実行する利用料金軽減手段とを含むことを特徴とする携帯端末の利用料金軽減システム。
【請求項９】
前記利用料金軽減手段には前記携帯端末に配信された広告情報の発信元に対し所定の返信を行う機能が含まれることを特徴とする請求項８記載の携帯端末の利用料金軽減システム。
【請求項１０】
前記プログラム送信手段は、前記携帯端末から前記広告情報管理センターに対し利用者情報を含む情報を送信する機能と、前記情報を受信した前記広告情報管理センターから前記携帯端末に対し携帯端末の利用料金軽減のためのプログラムを送信する機能とを含むことを特徴とする請求項８または９記載の携帯端末の利用料金軽減システム。
【請求項１１】
前記利用料金軽減手段は、前記携帯端末にて前記広告情報の抽出条件の設定を行う機能と、設定した抽出条件にしたがって新しい前記広告情報がないかどうかを前記携帯端末から前記広告情報管理センターに問い合わせる機能と、前記広告情報管理センターにて前記抽出条件に合致する広告情報を取得し前記携帯端末へ配信する機能と、前記携帯端末にて取得した広告情報を広告情報データベースに保存する機能と、前記携帯端末にて取得した広告情報の提示回数を保持するレコードを提示回数データベースに追加する機能とを含むことを特徴とする請求項８から１０いずれか記載の携帯端末の利用料金軽減システム。
【請求項１２】
前記利用料金軽減手段は、前記携帯端末にて定期的に広告情報データベース内の広告情報を読み出し画面表示する機能と、広告情報の提示回数を保持している提示回数データベースの対応するレコードの提示回数を更新する機能と、広告表示されているときに前記携帯端末にて詳細な広告情報を確認する操作や購入の操作を行う機能と、前記操作によりサイト閲覧機能が起動され前記広告表示されている広告情報のＵＲＬを前記サイト閲覧機能に通知する機能と、前記サイト閲覧機能からそのＵＲＬにアクセスする機能とを含むことを特徴とする請求項９から１１いずれか記載の携帯端末の利用料金軽減システム。
【請求項１３】
前記利用料金軽減手段は、前記携帯端末にて定期的に広告情報の提示回数を保持している提示回数データベースの情報を読み出す機能と、読み出した提示回数情報を前記広告情報管理センターに送信する機能と、前記提示回数情報を受信した前記広告情報管理センターがその情報を前記広告情報管理センター内の利用者別提示回数管理データベースに保存する機能とを含むことを特徴とする請求項８から１２いずれか記載の携帯端末の利用料金軽減システム。
【請求項１４】
前記利用料金軽減手段は、前記広告情報管理センターが広告主から広告情報と広告掲載料とを受け取り、広告情報データベースに広告情報を登録する機能と、前記広告情報管理センターが定期的に利用者別提示回数管理データベースの情報を集計し、携帯電話利用者の提示回数に応じて、広告主から受け取った広告掲載料の配分を受ける機能とを含むことを特徴とする請求項８から１３いずれか記載の携帯端末の利用料金軽減システム。
【請求項１５】
携帯端末と広告情報管理センターとがネットワークを介して接続されており、前記携帯端末が前記広告情報管理センターから所定の広告情報の配信を受けることにより、前記携帯端末の利用料金軽減を図る処理をコンピュータに実行させるためのプログラムであって、
前記携帯端末からの要求に応じて前記広告情報管理センターから前記携帯端末へ携帯端末の利用料金軽減のためのプログラムを送信するプログラム送信ステップと、
前記携帯端末にて前記プログラムにしたがって広告情報の抽出条件の設定を含む携帯端末の利用料金軽減処理を実行する利用料金軽減ステップとを含むことを特徴とするプログラム。
【請求項１６】
前記利用料金軽減ステップには前記携帯端末に配信された広告情報の発信元に対し所定の返信を行う処理が含まれることを特徴とする請求項１５記載のプログラム。
【請求項１７】
前記プログラム送信ステップは、前記携帯端末から前記広告情報管理センターに対し利用者情報を含む情報を送信するステップと、前記情報を受信した前記広告情報管理センターから前記携帯端末に対し携帯端末の利用料金軽減のためのプログラムを送信するステップとを含むことを特徴とする請求項１５または１６記載のプログラム。
【請求項１８】
前記利用料金軽減ステップは、前記携帯端末にて前記広告情報の抽出条件の設定を行うステップと、設定した抽出条件にしたがって新しい前記広告情報がないかどうかを前記携帯端末から前記広告情報管理センターに問い合わせるステップと、前記広告情報管理センターにて前記抽出条件に合致する広告情報を取得し前記携帯端末へ配信するステップと、前記携帯端末にて取得した広告情報を広告情報データベースに保存するステップと、前記携帯端末にて取得した広告情報の提示回数を保持するレコードを提示回数データベースに追加するステップとを含むことを特徴とする請求項１５から１７いずれか記載のプログラム。
【請求項１９】
前記利用料金軽減ステップは、前記携帯端末にて定期的に広告情報データベース内の広告情報を読み出し画面表示するステップと、広告情報の提示回数を保持している提示回数データベースの対応するレコードの提示回数を更新するステップと、広告表示されているときに前記携帯端末にて詳細な広告情報を確認する操作や購入の操作を行うステップと、前記操作によりサイト閲覧機能が起動され前記広告表示されている広告情報のＵＲＬを前記サイト閲覧機能に通知するステップと、前記サイト閲覧機能からそのＵＲＬにアクセスするステップとを含むことを特徴とする請求項１６から１８いずれか記載のプログラム。
【請求項２０】
前記利用料金軽減ステップは、前記携帯端末にて定期的に広告情報の提示回数を保持している提示回数データベースの情報を読み出すステップと、読み出した提示回数情報を前記広告情報管理センターに送信するステップと、前記提示回数情報を受信した前記広告情報管理センターがその情報を前記広告情報管理センター内の利用者別提示回数管理データベースに保存するステップとを含むことを特徴とする請求項１５から１９いずれか記載のプログラム。
【請求項２１】
前記利用料金軽減ステップは、前記広告情報管理センターが広告主から広告情報と広告掲載料とを受け取り、広告情報データベースに広告情報を登録するステップと、前記広告情報管理センターが定期的に利用者別提示回数管理データベースの情報を集計し、携帯電話利用者の提示回数に応じて、広告主から受け取った広告掲載料の配分を受けるステップとを含むことを特徴とする請求項１５から２０いずれか記載のプログラム。
【発明の詳細な説明】
【０００１】
【発明の属する技術分野】
本発明は、携帯端末の利用料金軽減方法およびそのシステム並びにプログラムに関し、特に携帯電話機の利用料金軽減方法およびそのシステム並びにプログラムに関する。
【０００２】
【従来の技術】
従来の移動端末の課金システムおよび課金方法の一例が、特開２００１−３０９０８７号公報に記載されている。この公報記載の技術は、広告送信サーバがデータ保持部に記憶されている会員の携帯電話に所定数の広告メールを送信すると、課金サーバは広告送信サーバが会員に送信した広告メールの数量に応じて、その会員の携帯電話の使用料金を軽減する、というものである。
【０００３】
【発明が解決しようとする課題】
しかし、この従来技術には、次のような問題点があった。第１の問題点は、携帯電話利用者にとって不要な広告情報が送りつけられるということである。その理由は、携帯電話利用者による抽出条件の設定がないこと、および、広告情報管理センター側の都合により広告情報が配信されるということである。
【０００４】
第２の問題点は、携帯電話利用者が広告情報を見たのかどうか分からないということである。その理由は、メールを利用した広告情報管理センターから携帯電話への一方的な配信であり、携帯電話からのフィードバック情報がないためである。
【０００５】
そこで、本発明の目的は、携帯電話利用者による広告情報の抽出条件の設定が可能でかつ携帯電話からのフィードバック情報の送信が可能な携帯端末の利用料金軽減方法およびその軽減システム並びに軽減プログラムを提供することにある。
【０００６】
【課題を解決するための手段】
本発明による携帯端末の利用料金軽減方法は、携帯端末と広告情報管理センターとがネットワークを介して接続されており、前記携帯端末が前記広告情報管理センターから所定の広告情報の配信を受けることにより、前記携帯端末の利用料金軽減を図る携帯端末の利用料金軽減方法であって、その方法は前記携帯端末からの要求に応じて前記広告情報管理センターから前記携帯端末へ携帯端末の利用料金軽減のためのプログラムを送信するプログラム送信ステップと、前記携帯端末にて前記プログラムにしたがって広告情報の抽出条件の設定を含む携帯端末の利用料金軽減処理を実行する利用料金軽減ステップとを含むことを特徴とする。
【０００７】
また、本発明による携帯端末の利用料金軽減システムは、携帯端末と広告情報管理センターとがネットワークを介して接続されており、前記携帯端末が前記広告情報管理センターから所定の広告情報の配信を受けることにより、前記携帯端末の利用料金軽減を図る携帯端末の利用料金軽減システムであって、そのシステムは前記携帯端末からの要求に応じて前記広告情報管理センターから前記携帯端末へ携帯端末の利用料金軽減のためのプログラムを送信するプログラム送信手段と、前記携帯端末にて前記プログラムにしたがって広告情報の抽出条件の設定を含む携帯端末の利用料金軽減処理を実行する利用料金軽減手段とを含むことを特徴とする。
【０００８】
また、本発明によるプログラムは、携帯端末と広告情報管理センターとがネットワークを介して接続されており、前記携帯端末が前記広告情報管理センターから所定の広告情報の配信を受けることにより、前記携帯端末の利用料金軽減を図る処理をコンピュータに実行させるためのプログラムであって、そのプログラムは前記携帯端末からの要求に応じて前記広告情報管理センターから前記携帯端末へ携帯端末の利用料金軽減のためのプログラムを送信するプログラム送信ステップと、前記携帯端末にて前記プログラムにしたがって広告情報の抽出条件の設定を含む携帯端末の利用料金軽減処理を実行する利用料金軽減ステップとを含むことを特徴とする。
【０００９】
すなわち、本発明によれば、携帯電話利用者による広告情報の抽出条件の設定が可能でかつ携帯電話からのフィードバック情報の送信が可能となる。
【００１０】
本発明は、携帯電話機で動作するダウンロード可能な常駐型アプリケーションを利用し、広告情報の取得、保存および提示を行うことができ、そのアプリケーションで管理する広告情報取得数、広告情報提示回数に応じて携帯電話利用者の携帯電話機使用料金を軽減するものである。
【００１１】
また、アプリケーションを利用することで携帯電話利用者による広告情報の抽出条件の設定を可能にし、携帯電話利用者が不要な広告情報を取得しないという特徴を有する。
【００１２】
また、このアプリケーションとサイト閲覧機能が連携を取ることで、インターネットショッピングなどの既存のサービス提供と連携し、効果的に販売に結びつけることを可能とする。
【００１３】
【発明の実施の形態】
以下、本発明の実施の形態について添付図面を参照しながら説明する。図１は本発明に係る携帯端末の利用料金軽減システムの最良の実施の形態の構成図である。同図を参照すると、携帯端末の利用料金軽減システムは携帯電話１と広告情報管理センター２とを含んで構成される。
【００１４】
また、携帯電話１と広告情報管理センター２はネットワーク（通信網）を介して接続されている。より具体的に説明すると、一例として、携帯電話１は図示しない携帯電話パケットネットワーク、携帯電話ネットワークサーバおよびインターネット等のネットワークを介して広告情報管理センター２と接続されている。
【００１５】
携帯電話１は、携帯電話が保持している携帯電話機固有の情報である利用者情報１１と、携帯向けに公開されているウェブサイトを閲覧するためのサイト閲覧機能１２と、ウェブサイトで公開されているダウンロード可能な携帯電話用のアプリケーションを携帯電話内に保持するためのダウンロードアプリケーション保存エリア１３（　常駐型アプリケーション３を保存するエリア）　と、ダウンロードアプリケーションから利用できる永続記憶エリア３１（　常駐型アプリケーション３が利用する抽出条件データベース（以下、ＤＢと表示する）３２と、広告情報ＤＢ３３と、提示回数ＤＢ３４とを保存するエリアを含む）　と、広告情報管理センター２からダウンロードされる常駐型アプリケーション３と、この常駐型アプリケーション３にしたがって所定の処理を実行する中央処理装置（以下、ＣＰＵと表示する）４とを含んでいる。
【００１６】
広告情報管理センター２は、本発明のサービスを受ける携帯電話利用者の利用者情報を保存し、アプリケーションを携帯電話に配信するサービス利用者管理機能２１（　ウェブサイト）　と、携帯電話１より送信されてくる利用者情報１１を保存するための利用者情報ＤＢ２２と、広告情報管理センター２と通信し、広告情報の受信や提示回数の管理、送信を行う携帯電話側で動作する常駐型アプリケーション３と、広告主から得られる広告情報を携帯電話向け情報に加工する広告情報登録機能２３と、この広告情報登録機能２３が加工した情報を保存するための広告情報ＤＢ２４と、携帯電話から定期的に送られてくる広告情報取得要求に対して必要な広告情報を広告情報ＤＢ２４より抽出し、携帯電話に配信するための広告配信機能２５と、携帯電話から定期的に送られてくる携帯電話側での提示回数や広告情報の取得数をセンター側で保持するための提示回数管理機能２６と、提示回数管理機能２６で加工された利用者別提示回数を保存するための利用者別提示回数管理ＤＢ２７と、定期的に利用者別提示回数管理ＤＢ２７の情報を元に携帯電話に利用料を軽減するための広告掲載料を還元する広告掲載料還元機能２８とを含んでいる。
【００１７】
【実施例】
以下、本発明の実施例について説明する。まず、第１実施例について説明する。第１実施例は利用者情報の登録に関するものである。図２は利用者情報の登録の処理工程を示すフローチャートである。図２および図１を参照すると、携帯電話利用者はサイト閲覧機能１２を起動し（Ｓ１）、サービス利用者登録を行っている広告情報管理センター２のサービス利用者管理機能２１に接続する（Ｓ２）。
携帯電話利用者は必要な情報をサイト閲覧機能１２が表示している画面より入力を行い、携帯電話内に保持している携帯電話固有の携帯電話情報（以下、利用者情報と表示する）１１を読み出し（Ｓ３）、これら情報をサービス利用者管理機能２１に送信する（Ｓ４）。
【００１８】
サービス利用者管理機能２１はこの利用者情報１１を受信すると、広告情報管理センター２内の利用者情報ＤＢ２２にこの情報を追加する（Ｓ５）。追加が正常に完了するとサービス利用者管理機能２１は携帯電話で動作する常駐型アプリケーション３を読み出し（Ｓ６）、携帯電話１に送信する（Ｓ７）。
【００１９】
サイト閲覧機能１２は常駐型アプリケーション３を受信すると、携帯電話１にあるアプリケーション保存エリア１３にこれを保存する（Ｓ８）。
【００２０】
次に、第２実施例について説明する。第２実施例は携帯電話への広告情報の配信に関するものである。図３は広告情報の配信の処理工程を示すフローチャートである。図３および図１を参照すると、常駐型アプリケーション３は（具体的には、常駐型アプリケーション３にしたがってＣＰＵ４は、の意。以下同様）初回起動時に、携帯電話利用者に対し、抽出条件の設定を促す画面を表示する。携帯電話利用者が広告情報の抽出条件を設定すると（Ｓ１１）、常駐型アプリケーション３は携帯電話の永続記憶エリア３１内に確保した抽出条件ＤＢ３２にこの抽出条件を保存する（Ｓ１２）。抽出条件の設定とは、たとえば携帯電話利用者が必要とする広告情報のみを設定することをいう。携帯電話利用者は抽出条件が設定された常駐型アプリケーション３を常時起動し、このサービスを受けるものとする。
【００２１】
常駐型アプリケーション３は定期的（例えば１週間毎や１日毎など）に抽出条件ＤＢ３２から抽出条件を読み出し（Ｓ１３）、新しい広告情報がないかどうかを広告情報管理センター２内にある広告配信機能２５に問い合わせを行う（Ｓ１４）。
【００２２】
広告配信機能２５は携帯電話１より受け取った抽出条件で、広告情報ＤＢ２４を検索し、必要な広告情報を取得する（Ｓ１５）。そして、その広告情報を取得した後、広告配信機能２５は携帯電話１で起動されている常駐型アプリケーション３に広告情報を配信する（Ｓ１６）。
【００２３】
携帯電話１の常駐型アプリケーション３はその広告情報を受信すると、広告情報ＤＢ３３に広告情報を保存する（Ｓ１７）。また、取得した広告情報の提示回数を保持するレコードを提示回数ＤＢ３４に追加する（Ｓ１８）　。
【００２４】
次に、第３実施例について説明する。第３実施例は携帯電話に保存した広告情報の提示に関するものである。図４は広告情報の提示の処理工程を示すフローチャートである。図４および図１を参照すると、常駐型アプリケーション３は定期的（例えば１時間毎や６時間毎など）に広告情報ＤＢ３３の中に格納されている広告情報を次々に読み出し、携帯電話の画面に表示する（Ｓ２１）。また、常駐型アプリケーション３は画面への表示が完了したときに広告情報の提示回数を保持している提示回数ＤＢ３４の対応するレコードの提示回数を更新する（Ｓ２２）。
【００２５】
常駐型アプリケーション３で広告情報を表示しているときに、携帯電話利用者が詳細な広告情報を確認する操作や購入の操作を行うと（Ｓ２３）、常駐型アプリケーション３はサイト閲覧機能１２を起動し（Ｓ２４）、この広告情報に付与されているＵＲＬ（ｕｎｉｆｏｒｍ　ｒｅｓｏｕｒｃｅ　ｌｏｃａｔｏｒ）をサイト閲覧機能１２に通知する（Ｓ２５）。すなわち、常駐型アプリケーション３は携帯電話利用者を商品紹介サイトや購入サイトに誘う。携帯電話利用者は、サイト閲覧機能１２からそのＵＲＬにアクセスする（Ｓ２６）。
【００２６】
次に、第４実施例について説明する。第４実施例は携帯電話に保持している提示回数の情報の広告情報管理センター２への送信に関するものである。図５は提示回数情報の送信処理工程を示すフローチャートである。図５および図１を参照すると、常駐型アプリケーション３は定期的（例えば１ヶ月毎など）に提示回数ＤＢ３４の情報を読み出し（Ｓ３１）、広告情報管理センター２の提示回数管理機能２６に送信する（Ｓ３２）。
【００２７】
広告情報管理センター２の提示回数管理機能２６は携帯電話からの提示回数情報を受け取ると、利用者別提示回数管理ＤＢ２７に保存する（Ｓ３３）。
【００２８】
次に、第５実施例について説明する。第５実施例は携帯電話利用者への利用料金軽減の方法に関するものである。図６は利用料金軽減処理工程を示すフローチャートである。図６および図１を参照すると、広告情報管理センター２内の広告情報登録機構２３は広告主から広告情報（　商品やサービスの紹介情報および既存サイトへのＵＲＬ等の情報）　と広告掲載料とを受け取り、広告情報ＤＢ２４に広告情報を登録する（Ｓ４１）。
【００２９】
広告情報管理センター２内の広告料還元機能２８は定期的に利用者別提示回数管理ＤＢ２７の情報を集計し、携帯電話利用者の提示回数に応じて、広告主から受け取った広告掲載料の配分を受ける（Ｓ４２）。そして、その配分は携帯電話利用者に還元される。
【００３０】
次に、第６実施例について説明する。第６実施例は携帯端末の利用料金軽減プログラムに関するものである。図１に示す携帯電話１は常駐型アプリケーション３で示される利用料金軽減プログラムと、このプログラムにしたがって利用料金軽減の処理を実行するＣＰＵ４とを含んでいる。その利用料金軽減プログラムは図３から図６にフローチャートで示される処理をコンピュータ（ＣＰＵ４）に実行させるためのプログラムである。また、その常駐型アプリケーション３は携帯電話１内のダウンロードアプリケーション保存エリア１３に保存されている。
【００３１】
ＣＰＵ４はダウンロードアプリケーション保存エリア１３から常駐型アプリケーション３を読み出し、そのプログラムにしたがって利用料金軽減の処理を実行する。そのＣＰＵ４が実行する処理の内容についてはすでに述べたのでここでの説明は省略する。
【００３２】
【発明の効果】
以上説明したように本発明は、携帯端末からの要求に応じて広告情報管理センターから前記携帯端末へ携帯端末の利用料金軽減のためのプログラムを送信するプログラム送信ステップと、前記携帯端末にて前記プログラムにしたがって広告情報の抽出条件の設定を含む携帯端末の利用料金軽減処理を実行する利用料金軽減ステップとを含み、さらに利用料金軽減ステップは前記携帯端末に配信された広告情報の発信元に対し所定の返信を行う処理を含むため、携帯電話利用者による広告情報の抽出条件の設定が可能でかつ携帯電話からのフィードバック情報の送信が可能となるという効果が得られる。
【００３３】
具体的に説明すると、第１の効果は、携帯電話利用者にとって不要な広告情報を事前に排除できること（　広告主にとっては広告効果の小さな利用者への配信を行わないこと）　にある。その理由は、広告情報の抽出条件を携帯電話利用者側で設定できるためである。
【００３４】
第２の効果は、携帯電話利用者にとって広告主から得る広告掲載料を携帯電話利用者に還元できること（　広告主にとっては確実に広告配信数、提示回数が確認でき、広告効果を数値で確認できること）　にある。その理由は、携帯電話の常駐型プログラムにより広告情報の取得数や提示回数を管理でき、かつ、この情報を広告情報管理センターに送信できるためである。
【００３５】
第３の効果は、広告情報をもとに既に確立されている広告主が提供する情報サイトや決済サイトに誘うことができることにある。その理由は、常駐型プログラムが広告情報の付加情報であるリンク情報をつけてサイト閲覧機能を起動できるためである。
【図面の簡単な説明】
【図１】本発明に係る携帯端末の利用料金軽減システムの最良の実施の形態の構成図である。
【図２】利用者情報の登録の処理工程を示すフローチャートである。
【図３】広告情報の配信の処理工程を示すフローチャートである。
【図４】広告情報の提示の処理工程を示すフローチャートである。
【図５】提示回数情報の送信処理工程を示すフローチャートである。
【図６】利用料金軽減処理工程を示すフローチャートである。
【符号の説明】
１　携帯電話
２　広告情報管理センター
３　常駐型アプリケーション
４　中央処理装置
１１　利用者情報
１２　サイト閲覧機能
１３　アプリケーション保存エリア
２１　サービス利用者管理機能
２２　利用者情報データベース
２３　広告情報登録機能
２４　広告情報データベース
２５　広告配信機能
２６　提示回数管理機能
２７　利用者別提示回数管理データベース
２８　広告掲載料還元機能
３１　永続記憶エリア
３２　抽出条件データベース
３３　広告情報データベース
３４　提示回数データベース
【図１】
2004080552.tif 000003
【図２】
2004080552.tif 000004
【図３】
2004080552.tif 000005
【図４】
2004080552.tif 000006
【図５】
2004080552.tif 000007
【図６】
2004080552.tif 000008